(57)【要約】【課題】より優先度の高い処理を実行可能な記録再生装置、記録再生システム、および記録再生方法を提供する。【解決手段】デジタルインタフェースＤＩＦで接続された記録再生装置ＲＤ２からデジタルデータを受信する第１通信手段ＴＲと、記録再生装置ＲＤ２から受信した前記デジタルデータを記憶媒体に記憶させる記録手段１０５、１０６と、記録再生装置ＲＤ２から、現在の機器状態を問い合わせる現在状態取得要求を前記デジタルインタフェースＤＩＦを介して受信する第２通信手段ＴＲと、現在状態取得要求に対する応答として複数の値のうちの１の値を送信する第３通信手段１０１、１０２、１０３、１０４と、を備え、第３通信手段は、記録再生装置ＲＤ２から受信するデジタルデータを記録手段１０５、１０６に記憶できない場合に、現在状態取得要求に対する応答として、特定値を記録再生装置ＲＤ２に対して送信する手段１０３を有する記録再生装置ＲＤ１。【選択図】図１
2008278021.tif 000002
【特許請求の範囲】
【請求項１】
他の記録再生装置とデジタルインタフェースで接続され、前記他の記録再生装置からデジタルデータを受信する第１通信手段と、
前記他の記録再生装置から受信した前記デジタルデータを記憶媒体に記憶させる記録手段と、
前記他の記録再生装置から、現在の機器状態を問い合わせる現在状態取得要求を前記デジタルインタフェースを介して受信する第２通信手段と、
前記現在状態取得要求に対する応答として、現在の機器状態に応じて、複数の値のうちの１の値を送信する第３通信手段と、を備え、
前記第３通信手段は、前記他の記録再生装置から受信する前記デジタルデータを前記記録手段が記憶させることができない場合に、前記現在状態取得要求に対する応答として、現在の機器状態に関わらず特定値を前記他の記録再生装置に対して送信する手段を有する記録再生装置。
【請求項２】
前記第３通信手段は、前記他の記録再生装置から受信する前記デジタルデータを前記記録手段が前記記録媒体に記憶させることができない場合に、前記第３通信手段が送信する前記特定値を、前記現在状態取得要求で問い合わせ可能な各属性に対して記憶する記憶手段を更に備える請求項１記載の記録再生装置。
【請求項３】
前記第１通信手段、前記第２通信手段、及び前記第３通信手段は、前記他の記録再生装置と、ＩＥＥＥ１３９４規格に準拠して通信する請求項１記載の記録再生装置。
【請求項４】
他の記録再生装置とデジタルインタフェースで接続され、前記他の記録再生装置からデジタルデータを受信する第１通信ステップと、
前記他の記録再生装置から受信した前記デジタルデータを記憶媒体に記憶させる記録ステップと、
前記他の記録再生装置から、現在の機器状態を問い合わせる現在状態取得要求を前記デジタルインタフェースを介して受信する第２通信ステップと、
前記現在状態取得要求に対する応答として、現在の機器状態に応じて、複数の値のうち１の値を送信する第３通信ステップと、を備え、
前記第３通信ステップでは、前記他の記録再生装置から受信する前記デジタルデータを前記記録ステップにおいて前記記憶媒体に記憶させることができない場合に、前記現在状態取得要求に対する応答として、現在の機器状態に関わらず前記特定値を前記他の記録再生装置に対して送信する記録再生方法。
【請求項５】
前記第３通信ステップでは、前記他の記録再生装置から受信する前記デジタルデータを前記記録ステップにおいて前記記録媒体に記憶させることができない場合に、前記第３通信ステップにおいて送信する前記特定値を、前記現在状態取得要求で問い合わせ可能な各属性に対して記憶する請求項４記載の記録再生方法。
【請求項６】
互いにデジタルインタフェースで接続され、デジタルデータの送受信を行う第１記録再生装置、及び第２記録再生装置を備えた記録再生システムであって、
前記第２記録再生装置は、デジタルデータを記録する第２記憶媒体と、
前記第２記憶媒体に記録されたデジタルデータを前期第１記録再生装置に送信する送信処理手段と、を備え、
前記第１記録再生装置は、前記第２記録再生装置からデジタルデータを受信する第１通信手段と、
前記第２記録再生装置から受信した前記デジタルデータを第１記憶媒体に記憶させる記録手段と、
前記第２記録再生装置から、現在の機器状態を問い合わせる現在状態取得要求を前記デジタルインタフェースを介して受信する第２通信手段と、
前記現在状態取得要求に対する応答として、現在の機器状態に応じて複数の値のうち１の値を送信する第３通信手段と、を備え、
前記第３通信手段は、前記第２記録再生装置から受信する前記デジタルデータを前記記録手段が前記記憶媒体に記憶させることができない場合に、前記現在状態取得要求に対する応答として、現在の機器状態に関わらず特定値を前記第２記録再生装置に対して送信する手段を有し、
前記送信処理手段は、前記第２記録再生装置からの返答が前記特定値である場合に、デジタルデータの送信を中止する手段を有する記録再生システム。
【請求項７】
前記第１通信手段、前記第２通信手段、及び前記第３通信手段は、前記第２記録再生装置と、ＩＥＥＥ１３９４規格に準拠して通信する請求項６記載の記録再生システム。
【発明の詳細な説明】
【技術分野】
【０００１】
本発明は、記録再生装置、記録再生システム、および記録再生方法に関し、特に、他の記録再生装置が出力したコンテンツを記録することが可能な記録再生装置、記録再生システム、および記録再生方法に関する。
【背景技術】
【０００２】
一般に、記録再生装置はコンテンツを記録可能な記憶媒体を有している。記憶媒体に記録されたコンテンツを他の機器に移動させる場合には、送信側記録再生装置と受信側記録再生装置とを例えばデジタルインタフェースで接続してコンテンツの送受信を行う。
【０００３】
デジタルインタフェースで接続された記録再生装置間で、コンテンツの送受信を行っている際に、受信側記録再生装置において、予約録画開始などのより優先度の高い処理を行う場合には、送信側記録再生装置にコンテンツの送信を中止させる必要がある。
【０００４】
従来、ダビング中にタイマ録画開始時刻が来たときに、自機に対して録画停止の指令をするとともに、相手機に対して再生停止の指令をしてダビングを停止し、自機のタイマ録画を実行して、タイマ録画の終了時刻が来ると、自機には録画指令を出力し、相手機には再生指令を出力することによりダビングを再開するものが提案されている（特許文献１参照）。
【特許文献１】特開２００２−２９０９０３号公報
【発明の開示】
【発明が解決しようとする課題】
【０００５】
しかし、デジタルインタフェース上で規定された制御コマンド群に、送信側記録再生装置へ実行中止を要求するコマンドが規定されていない場合には、受信側記録再生装置がより優先度の高い処理を行う場合であっても、送信側記録再生装置のコンテンツの送信を止めさせることができない場合があった。
【０００６】
本発明は上記の問題点に鑑みて成されたものであって、他の記録再生装置から送信されるコンテンツを記録中であっても、より優先度の高い処理を実行可能な記録再生装置、記録再生システム、および記録再生方法を提供することを目的とする。
【課題を解決するための手段】
【０００７】
本発明の第１態様に係る記録再生装置は、他の記録再生装置とデジタルインタフェースで接続され、前記他の記録再生装置からデジタルデータを受信する第１通信手段と、前記他の記録再生装置から受信した前記デジタルデータを記憶媒体に記憶させる記録手段と、前記他の記録再生装置から、現在の機器状態を問い合わせる現在状態取得要求を前記デジタルインタフェースを介して受信する第２通信手段と、前記現在状態取得要求に対する応答として、現在の機器状態に応じて、複数の値のうちの１の値を送信する第３通信手段と、を備え、前記第３通信手段は、前記他の記録再生装置から受信する前記デジタルデータを前記記録手段が記憶させることができない場合に、前記現在状態取得要求に対する応答として、現在の機器状態に関わらず特定値を前記他の記録再生装置に対して送信する手段を有する。
【０００８】
本発明の第２態様に係る記録再生方法は、他の記録再生装置とデジタルインタフェースで接続され、前記他の記録再生装置からデジタルデータを受信する第１通信ステップと、前記他の記録再生装置から受信した前記デジタルデータを記憶媒体に記憶させる記録ステップと、前記他の記録再生装置から、現在の機器状態を問い合わせる現在状態取得要求を前記デジタルインタフェースを介して受信する第２通信ステップと、前記現在状態取得要求に対する応答として、現在の機器状態に応じて、複数の値のうち１の値を送信する第３通信ステップと、を備え、前記第３通信ステップでは、前記他の記録再生装置から受信する前記デジタルデータを前記記録ステップにおいて前記記憶媒体に記憶させることができない場合に、前記現在状態取得要求に対する応答として、現在の機器状態に関わらず前記特定値を前記他の記録再生装置に対して送信する。
【０００９】
本発明の第３態様に係る記録再生システムは、互いにデジタルインタフェースで接続され、デジタルデータの送受信を行う第１記録再生装置、及び第２記録再生装置を備えた記録再生システムであって、前記第２記録再生装置は、デジタルデータを記録する第２記憶媒体と、前記第２記憶媒体に記録されたデジタルデータを前期第１記録再生装置に送信する送信処理手段と、を備え、前記第１記録再生装置は、前記第２記録再生装置からデジタルデータを受信する第１通信手段と、前記第２記録再生装置から受信した前記デジタルデータを第１記憶媒体に記憶させる記録手段と、前記第２記録再生装置から、現在の機器状態を問い合わせる現在状態取得要求を前記デジタルインタフェースを介して受信する第２通信手段と、前記現在状態取得要求に対する応答として、現在の機器状態に応じて複数の値のうち１の値を送信する第３通信手段と、を備え、前記第３通信手段は、前記第２記録再生装置から受信する前記デジタルデータを前記記録手段が前記記憶媒体に記憶させることができない場合に、前記現在状態取得要求に対する応答として、現在の機器状態に関わらず特定値を前記第２記録再生装置に対して送信する手段を有し、前記送信処理手段は、前記第２記録再生装置からの返答が前記特定値である場合に、デジタルデータの送信を中止する手段を有する。
【発明の効果】
【００１０】
本発明によれば、他の記録再生装置から送信されるコンテンツを記録中であっても、より優先度の高い処理を実行可能な記録再生装置、記録再生システム、および記録再生方法を提供することができる。
【発明を実施するための最良の形態】
【００１１】
以下、本発明の第１実施形態に係る記録再生装置、記録再生システム、および記録再生方法について図面を参照して以下に説明する。
【００１２】
図１に示すように、本実施形態に係る記録再生システムは、デジタルデータの送受信を行う送信側記録再生装置ＲＤ２、及び受信側記録再生装置ＲＤ１を備えている。送信側記録再生装置ＲＤ２と受信側記録再生装置ＲＤ１とはデジタルインタフェースＤＩＦによって互いに接続されている。
【００１３】
受信側記録再生装置ＲＤ１と送信側記録再生装置ＲＤ２とを有している。受信側記録再生装置ＲＤ１および送信側記録再生装置ＲＤ２は、例えばＤＶＤレコーダーであって、ＩＥＥＥ１３９４等のデジタルインタフェースＤＩＦによって接続されている。
【００１４】
送信側記録再生装置ＲＤ２は、コンテンツを記録する記憶媒体としてのハードディスクＨ２と、ハードディスクＨ２に記録されたコンテンツのダビング（Ｃｏｐｙ）あるいは移動（Ｍｏｖｅ）処理を行う移動処理部２０と、を有している。
【００１５】
コンテンツの移動処理では、移動処理部２０は、ハードディスクＨ２から読み出されたコンテンツをデジタルインタフェースＤＩＦを介して受信側記録再生装置ＲＤ１に送信する。受信側記録再生装置ＲＤ１では受信したコンテンツをハードディスクＨ１に記録し、送信側記録再生装置ＲＤ２では送信したコンテンツを順次ハードディスクＨ２から削除する。
【００１６】
移動処理部２０は、デジタルインタフェースＤＩＦを介して、ハードディスクＨ２に記録されたコンテンツを受信側記録再生装置ＲＤ１に移動させる際に、受信側記録再生装置ＲＤ１の現在状態を定期的に問い合わせ、受信側記録再生装置ＲＤ１の現在状態に応じて、ハードディスクＨ２に記録されたコンテンツの移動処理を行う。
【００１７】
受信側記録再生装置ＲＤ１は、コンテンツを記録する記憶媒体としてのハードディスクＨ１と、ハードディスクＨ１にコンテンツを記録する記録処理を行う記録処理部１０と、を有している。
【００１８】
受信側記録再生装置ＲＤ１の記録処理部１０は、送信側記録再生装置ＲＤ２からデジタルデータを受信する第１通信部と、第１記録再生装置から受信したデジタルデータを記憶媒体としてのハードディスクＨ１に記憶させる記録部と、送信側記録再生装置ＲＤ２から、現在の機器状態を問い合わせる現在状態取得要求をデジタルインタフェースＤＩＦを介して受信する第２通信部と、現在状態取得要求に対する応答として、現在の機器状態に応じて第１値又は第２値を送信する第３通信部と、全体制御部ＣＴＲと、を備えている。全体制御部ＣＴＲは、第１通信部を制御する第１通信部制御部ＣＴＲ１と、第２通信部を制御する第２通信部制御部ＣＴＲ２と、第３通信部を制御する第３通信部制御部ＣＴＲ３と、を有している。
【００１９】
図２に示すように、本実施形態に係る受信側記録再生装置ＲＤ１の記録処理部１０は、第１通信部および第２通信部として、送受信インタフェース部ＴＲを有している。送受信インタフェース部ＴＲは、第１通信部制御部ＣＴＲ１および第２通信部制御部ＣＴＲ２によって制御され、送信側記録再生装置ＲＤ２から送信される映像信号や音声信号等のデジタルデータ、および、現在状態取得要求を受信する。
【００２０】
記録処理部１０は、第３通信部として、現在の機器状態情報を記憶する現在状態情報記憶部１０１、受信コンテンツ記録処理を実行可能な状態か否かを示す実行可否情報を記憶する実行可否情報記憶部１０２、現在状態情報記憶部１０１に記憶された現在の機器状態情報、及び実行可否情報記憶部１０２に記憶された実行可否情報に応じた現在の機器状態情報を出力する現在状態情報変換部１０３、及び他機器からの現在状態取得要求に対し、現在状態情報変換部１０３から取得した現在の機器状態情報を応答として送信する状態取得要求処理部１０４を有している。
【００２１】
現在状態情報記憶部１０１には、第３通信部制御部ＣＴＲ３によって現在の機器状態情報が記憶される。実行可否情報記憶部１０２には、受信側記録再生装置ＲＤ１が受信コンテンツ記録処理を実行可能な状態である場合に、記録可能であるということを示す実行可否情報が第３通信部制御部ＣＴＲ３によって記録される。
【００２２】
また、受信側記録再生装置ＲＤ１が受信コンテンツ記録処理を実行不可な状態である場合に、記録不可能であると言うことを示す実行可否情報が第３通信部制御部ＣＴＲ３によって実行可否情報記憶部１０２に記録される。
【００２３】
現在状態情報変換部１０３では、例えば、実行可否情報記憶部１０２に記憶された実行可否情報が請求された処理を実行可能である場合には、現在状態情報記憶部１０１に記憶された現在の機器状態情報に基づいた情報を出力する。
【００２４】
現在状態情報変換部１０３は、実行可否情報記憶部１０２に記憶された実行可否情報が要求された処理を実行不可能であると示すものである場合には、現在状態情報記憶部１０１に記憶された現在の機器状態情報に関わらず、要求された処理を実行不可能である情報を出力する。
【００２５】
本実施形態では、現在状態情報変換部１０３は、送信側記録再生装置ＲＤ２から受信するコンテンツを記録部１０６がハードディスクに記憶させることができない場合に、現在状態情報記憶手段に記憶された現在の機器状態に関わらず、送信側記録再生装置ＲＤ２からの現在状態取得要求に対する応答としてコンテンツ記録処理を実行不可能な状態の情報に変換する。
【００２６】
状態取得要求処理部１０４は、現在状態情報変換部１０３から取得した機器情報を送受信インタフェース部ＴＲを介して送信側記録再生装置ＲＤ２に送信する。送信側記録再生装置ＲＤ２の移動処理部２０は、受信側記録再生装置ＲＤ１からの応答を受信し、受信した応答がコンテンツ記録処理を実行不可能な状態であるために、コンテンツの送信を実行しない。
【００２７】
移動処理部２０は、図３に示すように、例えば、受信側記録再生装置ＲＤ１からの応答から受信側記録再生装置ＲＤ１の電源状態がオフである場合や、記録メディア状態がメディア無しである場合には、コンテンツの送信を実行しない。
【００２８】
記録処理部１０は、記録部として、制御要求処理部１０５、及び記録部１０６をさらに有している。制御要求処理部１０５は送信側記録再生装置ＲＤ２からの制御要求を受信する。送信側記録再生装置ＲＤ２からの制御要求を受信すると、制御要求処理部１０５は、実行可否情報記憶部１０２に記憶された実行可否情報を参照し、受信コンテンツ記録処理を現在実行可能な状態である場合には、制御要求を受けた旨を送受信インタフェース部ＴＲを用いて送信側記録再生装置ＲＤ２に返答を行うとともに、全体制御部ＣＴＲに制御要求内容を通知する。制御要求を受け付けた場合には、全体制御部ＣＴＲは、記録部１０６を制御してハードディスクＨ１に受信コンテンツを記録させる。
【００２９】
制御要求処理部１０５は、実行可否情報記憶部１０２に記憶された実行可否情報を参照し、現在実行不可能である場合には、送信側記録再生装置ＲＤ２からの要求を受けられない旨を送信側記録再生装置ＲＤ２に返答する。
【００３０】
次に、本実施形態に係る記録再生装置の動作について図面を参照して説明する。ユーザが、送信側記録再生装置ＲＤ２に記録されたコンテンツを、デジタルインタフェースＤＩＦ経由で接続された受信側記録再生装置ＲＤ１にダビングまたは移動する場合について説明する。
【００３１】
送信側記録再生装置ＲＤ２によって送信されたコンテンツは、受信側記録再生装置ＲＤ１によって受信され、受信側記録再生装置ＲＤ１内部の記憶媒体、例えば、ハードディスクＨ１などに記録される。
【００３２】
すなわち、図４Ａおよび図４Ｂに示すように、全体制御部ＣＴＲは、現在の機器状態情報を現在状態情報記憶部１０１に記憶させる（ＳＴＡ１）。同様にして、コンテンツ受信およびコンテンツ記録を受け付けられる状態であるか否かを、これらの処理を実行中の場合は継続できる状態であるか否かを、現在の実行可否情報として実行可否情報記憶部１０２に記憶させる（ＳＴＡ２）。
【００３３】
送信側記録再生装置ＲＤ２は、コンテンツをダビングもしくは移動させるために、ダビング処理もしくは移動処理を開始させるための制御要求を送信する。送信側記録再生装置ＲＤ２から送信された制御コマンドは、受信側記録再生装置ＲＤ１の送受信インタフェース部ＴＲによって受信され、制御要求処理部１０５によって処理される（ＳＴＡ３）。
【００３４】
なお、本実施形態に係る記録再生システムでは、デジタルインタフェースＤＩＦであるＩＥＥＥ１３９４上で規定されたコマンド群として、ＩＥＥＥ１３９４規格上で定められている、ＡＶ／Ｃ（Audio Video/Control）コマンドにより定められたコマンドを採用している。
【００３５】
制御要求処理部１０５は、実行可否情報記憶部１０２に記憶された実行可否情報を参照し（ＳＴＡ４）、受信側記録再生装置ＲＤ１が要求された処理を実行可能であるか否かを判断する（ＳＴＡ５）。要求された処理を現在実行可能な状態である場合は、制御要求を受け付けた旨、送受信インタフェース部ＴＲを用いて、要求元の送信側記録再生装置ＲＤ２に返答するとともに、全体制御部ＣＴＲに制御要求内容を通知する（ＳＴＡ６）。
【００３６】
制御要求処理部１０５は、実行可否情報記憶部１０２に記憶された実行可否情報を参照し、要求された処理を現在実行不可能な状態である場合は、要求を受け付けられない旨を、要求元の送信側記録再生装置ＲＤ２に返答する（ＳＴＡ７）。
【００３７】
全体制御部ＣＴＲが送信側記録再生装置ＲＤ２からの要求を受け付けた場合、送信側記録再生装置ＲＤ２からコンテンツが送信される。全体制御部ＣＴＲは、送信されたコンテンツを送受信インタフェース部ＴＲに受信させ、記録部１０６にハードディスクＨ１への記録を開始させる（ＳＴＡ８）。
【００３８】
受信側記録再生装置ＲＤ１は、送信側記録再生装置ＲＤ２から送信されたコンテンツを記録中に予約録画時間の一定時間前ではないと判断した場合には（ＳＴＡ９）、コンテンツの記録を完了させる（ＳＴＡ１０）。
【００３９】
受信側記録再生装置ＲＤ１は、送信側記録再生装置ＲＤ２から送信されたコンテンツを記録中に、予約録画時間の一定時間前であると判断すると（ＳＴＡ９）、ダビング処理あるいは移動処理の実行継続不可能を示す情報を実行可否情報として実行可否情報記憶部１０２に記憶させる（ＳＴＡ１１）。
【００４０】
受信側記録再生装置ＲＤ１の受信コンテンツ記録処理中に、送信側記録再生装置ＲＤ２は、受信側記録再生装置ＲＤ１に対し、定期的に受信側機器の現在状態取得要求を発行する。
【００４１】
送信側記録再生装置ＲＤ２から送信された現在状態取得要求コマンドは、送受信インタフェース部ＴＲによって受信される（ＳＴＡ１２）。送受信インタフェース部ＴＲによって受信された現在状態取得要求コマンドは、状態取得要求処理部１０４によって処理される（ＳＴＡ１３）。
【００４２】
状態取得要求処理部１０４は、現在状態情報変換部１０３から現在状態情報を取得する。すなわち、現在状態情報変換部１０３は、実行可否情報記憶部１０２に記憶された実行可否情報を参照する（ＳＴＡ１４）。
【００４３】
ここで、要求された処理が実行可能であると判断した場合、現在状態情報変換部１０３は、現在状態情報記憶部１０１に記憶された現在状態情報を取得し、そのまま状態取得要求処理部１０４へ送信する。状態取得要求処理部１０４は、現在状態情報変換部１０３から取得した現在状態情報を、送受信インタフェース部ＴＲを用いて、送信側記録再生装置ＲＤ２に送信する。
【００４４】
本実施形態に係る記録再生装置では、現在状態情報として、例えば図３に示すように、電源状態（オン／オフ）、メカ動作状態（録画中／停止中／再生中など）、記憶媒体状態（メディアの種類／書き込み可不可／メディア無しなど）、タイムカウンタの現在値などを属性として用いる。
【００４５】
送信側記録再生装置ＲＤ２は、受信側記録再生装置ＲＤ１の応答内容に異常を検知した場合、コンテンツの送信を中止するとともに、ダビングキャンセル処理を実行する。送信側記録再生装置ＲＤ２は、受信側記録再生装置ＲＤ１の応答内容に問題がなければ、最後まで正常にコンテンツダビングあるいは移動処理を行う。
【００４６】
デジタルインタフェースＤＩＦで接続された受信側記録再生装置ＲＤ１と送信側記録再生装置ＲＤ２との間でコンテンツの送受信を行う際に、受信側記録再生装置ＲＤ１において、ユーザが設定した予約録画の開始時間が迫っている場合には、受信側記録再生装置ＲＤ１から送信側記録再生装置ＲＤ２に何らかの方法で中止して欲しい旨を通知する必要がある。
【００４７】
しかし、従来、デジタルインタフェースＤＩＦ上で規定された制御コマンド群に、送信側記録再生装置ＲＤ２へ実行中止を要求するためのコマンドが規定されていない場合には、送受信処理を中断させることが難しかった。これに対し、本実施形態では、以下のように、受信側記録再生装置ＲＤ１が受信コンテンツ記録処理よりも優先度の高い予約録画処理を行う。
【００４８】
受信側記録再生装置ＲＤ１がダビングあるいは移動処理中、送信側記録再生装置ＲＤ２は、定期的に、受信側記録再生装置ＲＤ１に対して受信側記録再生装置ＲＤ１の現在状態取得要求を発行する。状態取得要求コマンドは、送受信インタフェース部ＴＲによって受信される（ＳＴＡ１２）。受信された状態取得要求コマンドは、状態取得要求処理部１０４によって処理される（ＳＴＡ１３）。
【００４９】
現在状態情報を状態取得要求処理部１０４へ渡す現在状態情報変換部１０３は、実行可否情報記憶部１０２に記憶された実行可否情報を参照する（ＳＴＡ１４）。このとき、より優先度の高い予約録画の開始時間が迫っているため、実行可否情報は、全体制御部ＣＴＲによって、すでに実行継続不可を示す情報となっている。
【００５０】
したがって、現在状態情報変換部１０３では要求された処理を実行不可能であると判断し、現在状態情報記憶部１０１に記憶された情報をそのまま状態取得要求処理部１０４に出力せずに、異常が発生している場合でなくても、異常値を状態取得要求処理部１０４に出力する（ＳＴＡ１５）。
【００５１】
現在状態情報変換部１０３から出力された現在状態情報は、状態取得要求処理部１０４に送信され、状態取得要求処理部１０４から送受信インタフェース部ＴＲを介して、送信側記録再生装置ＲＤ２に返答される（ＳＴＡ１６）。
【００５２】
現在状態情報記憶部１０１によって記憶される情報と、実行可否情報記憶部１０２に記憶された実行可否情報とによって、現在状態情報変換部１０３が内容を変換する際には、送信側記録再生装置ＲＤ２が受信側記録再生装置ＲＤ１を異常状態であるとして扱い、コンテンツの送信処理を中止するような異常値に、現在状態情報に含まれる属性を変換する。
【００５３】
例えば、図３に示すように、電源状態オフ、メカ動作状態は停止中、記憶媒体状態がメディア無しなどの値である。これらの情報を受信側記録再生装置ＲＤ１の返答として受信すると、送信側記録再生装置ＲＤ２は受信側記録再生装置ＲＤ１の応答内容から異常を検知する。したがって、送信側記録再生装置ＲＤ２はコンテンツ送信を中止し、ダビングキャンセル処理等を実行する。
【００５４】
その結果、受信側記録再生装置ＲＤ１では、コンテンツ受信処理と記録処理を継続する必要がなくなり、コンテンツのダビングあるいは移動処理よりも優先度の高い予約録画を開始することができる（ＳＴＡ１７）。
【００５５】
すなわち、従来は、デジタルインタフェースＤＩＦで接続された記録再生装置間でコンテンツの送受信を行っている際に、受信側記録再生装置ＲＤ１において予約録画開始などのより優先度の高い処理を行おうとした場合、デジタルインタフェースＤＩＦ上で規定された制御コマンド群に、送信側記録再生装置ＲＤ２へ実行中止を要求するコマンドが規定されていない場合、送受信処理を中断できず、より優先度の高い処理が行うことができなかった。
【００５６】
しかし、上記のように、送信側記録再生装置ＲＤ２からの現在状態取得要求に対し、処理続行不可な場合、受信側記録再生装置ＲＤ１の現在状態を、送信側記録再生装置ＲＤ２が処理を中断する要因となるような変換規則に基づいて変換し、状態取得要求処理部１０４に応答させる変換部１０３を設けることで、より優先度の高い処理が発生した場合であっても、送信機記録再生装置ＲＤ２に現在の処理を中断させるように仕向けることができる。
【００５７】
したがって、本実施形態に係る記録再生装置、記録再生システム、および記録再生方法によれば、受信側記録再生装置ＲＤ１において送信側記録再生装置ＲＤ２から送信されるコンテンツを記録中であっても、より優先度の高い処理を実行可能な記録再生装置、記録再生システム、および記録再生方法を提供することができる。
【００５８】
また、図３に示すように、１つの属性に対してだけではなく、送信側記録装置ＲＤ２が問い合わせ可能な各属性に対して異常値を記憶しておくことにより、送信側記録装置ＲＤ２がどのような現在状態取得要求を送信した場合であっても、広く対応することができるようになる。
【００５９】
次に、本発明の第２実施形態に係る記録再生装置、記録再生システムおよび記録再生方法について図面を参照して以下に説明する。なお、以下の説明において、上述の第１実施形態に係る記録再生装置、記録再生システム、および記録再生方法と同様の構成については、同一の符号を付して説明を省略する。
【００６０】
本実施形態に係る記録再生装置、および記録再生システムの構成は、上述の第１実施形態に係る記録再生装置および記録再生システムの構成と同様である。すなわち、本実施形態に係る記録再生システムは、受信側記録再生装置ＲＤ１と送信側記録再生装置ＲＤ２とを有していてともに、受信側記録再生装置ＲＤ１と送信側記録再生装置ＲＤ２とはデジタルインタフェースＤＩＦによって接続されている。
【００６１】
本実施形態に係る記録再生装置、および記録再生システムにおける記録再生方法について以下に説明する。図５Ａ、図５Ｂおよび図５Ｃに示すように、第３通信部制御部ＣＴＲ３は、現在の機器状態を現在状態情報として現在状態情報記憶部１０１に記憶させる（ＳＴＢ１）。
【００６２】
同様にして、コンテンツ受信およびコンテンツ記録を受け付けられる状態であるか否か、これらの処理を実行中の場合は継続できる状態であるか否かを、現在の実行可否情報として、実行可否情報記憶部１０２に記憶させる（ＳＴＢ２）。
【００６３】
送信側記録再生装置ＲＤ２は、コンテンツをダビングもしくは移動させるために、ダビングもしくは移動処理を開始させるための制御要求を送信する。
【００６４】
送信側記録再生装置ＲＤ２から送信された制御コマンドは、受信側記録再生装置ＲＤ１の送受信インタフェース部ＴＲによって受信され、制御要求処理部１０５によって処理される（ＳＴＢ３）。
【００６５】
制御要求処理部１０５は、実行可否情報記憶部１０２に記憶された実行可否情報を参照し（ＳＴＢ４）、受信側記録再生装置ＲＤ１が要求された処理を実行可能であるか否かを判断する（ＳＴＢ５）。
【００６６】
要求された処理を現在実行可能な状態である場合は、制御要求を受け付けた旨、送受信インタフェース部ＴＲを用いて、要求元の送信側記録再生装置ＲＤ２に返答するとともに、全体制御部ＣＴＲに制御要求内容を通知する（ＳＴＢ６）。
【００６７】
制御要求処理部１０５は、実行可否情報記憶部１０２に記憶された実行可否情報を参照し、要求された処理を現在実行不可能な状態である場合は、要求を受け付けられない旨を、要求元の送信側記録再生装置ＲＤ２に返答する（ＳＴＢ７）。
【００６８】
全体制御部ＣＴＲが送信側記録再生装置ＲＤ２からの要求を受け付けた場合、送信側記録再生装置ＲＤ２からコンテンツが送信される。全体制御部ＣＴＲは、送信されたコンテンツを送受信インタフェース部ＴＲに受信させ、記録部１０６にハードディスクＨ１への記録を開始させる（ＳＴＢ８）。
【００６９】
受信側記録再生装置ＲＤ１は、送信側記録再生装置ＲＤ２から送信されたコンテンツを記録中に予約録画時間の一定時間前ではないと判断した場合には（ＳＴＢ９）、コンテンツの記録を完了させる（ＳＴＢ１０）。
【００７０】
受信側記録再生装置ＲＤ１は、送信側記録再生装置ＲＤ２から送信されたコンテンツを記録中に、予約録画時間の一定時間前であると判断すると（ＳＴＢ９）、ダビングあるいは移動処理の実行継続不可能を示す情報を実行可否情報として実行可否情報記憶部１０２に記憶させる（ＳＴＢ１１）。
【００７１】
受信側記録再生装置ＲＤ１の受信コンテンツ記録処理中に、送信側記録再生装置ＲＤ２は、受信側記録再生装置ＲＤ１に対し、定期的に受信側機器の現在状態取得要求を発行する。
【００７２】
送信側記録再生装置ＲＤ２から送信された現在状態取得要求コマンドは、送受信インタフェース部ＴＲによって受信される（ＳＴＢ１２）。送受信インタフェース部ＴＲによって受信された現在状態取得要求コマンドは、状態取得要求処理部１０４によって処理される（ＳＴＢ１３）。
【００７３】
状態取得要求処理部１０４は、現在状態情報変換部１０３から現在状態情報を取得する。現在状態情報変換部１０３は、実行可否情報記憶部１０２に記憶された実行可否情報を参照する（ＳＴＢ１４）。本実施形態に係る記録再生装置における記録再生方法では、送信側記録再生装置ＲＤ２から送信されたコンテンツを記録するよりも、優先度の高い予約録画の開始時間が迫っているため、実行可否情報は、全体制御部ＣＴＲによって、実行継続不可を示す情報になっている。
【００７４】
このため、現在状態情報変換部１０３は、現在状態情報記憶部１０１に記憶された現在状態情報を状態取得要求処理部１０４にそのまま出力するのではなく、異常が発生しているわけではないが、異常を示す値を出力する（ＳＴＢ１５）。
【００７５】
ここで、現在状態情報変換部１０３は、現在状態情報のうち、タイムカウンタ状態の属性の値を、途中で記録を中断してしまったコンテンツに関する識別情報に変換する。この識別情報には、対象コンテンツを一意に特定するための識別情報、記録を中断した位置に関する情報などが含まれる。現在状態情報変換部１０３は、この識別情報を全体制御部ＣＴＲより取得する。
【００７６】
状態取得要求処理部１０４は、現在状態情報変換部１０３から取得した現在状態情報を、送受信インタフェース部ＴＲを介して要求元の送信側記録再生装置ＲＤ２に返答する（ＳＴＢ１６）。
【００７７】
送信側記録再生装置ＲＤ２は、受信側記録再生装置ＲＤ１の応答内容に異常を検知すると、コンテンツ送信を中止するとともに、ダビングキャンセル処理を実行する。このとき、受信側記録再生装置ＲＤ１から受信したタイムカウンタ状態情報に含まれる中断コンテンツ識別情報は送信側記録再生装置ＲＤ２に記憶される。
【００７８】
受信側記録再生装置ＲＤ１では、コンテンツ受信処理と記録処理とをこれ以上継続する必要がなくなり、コンテンツの記録処理よりも優先度の高い予約録画を実行することができる（ＳＴＢ１７）。
【００７９】
ここで、コンテンツの移動処理が中断された場合には、コンテンツが受信側記録再生装置ＲＤ１のハードディスクＨ１と送信側記録再生装置ＲＤ２のハードディスクＨ２とに分断される。
【００８０】
例えば、２時間の録画番組を移動している最中に受信側記録再生装置ＲＤ１で予約録画が開始されると、移動済みの前半部分（パートＡ）が受信側記録再生装置ＲＤ１のハードディスクＨ１に存在し、未移動の後半部分（パートＢ）が送信側記録再生装置ＲＤ２のハードディスクＨ２に存在することになる。
【００８１】
したがって、受信側記録再生装置ＲＤ１で予約録画が終了し、コンテンツの移動処理を再開できる状態になると（ＳＴＢ１８）、送信側記録再生装置ＲＤ２から、コンテンツの残り（パートＢ）を移動するために、移動処理開始の制御要求を受信する（ＳＴＢ１９）。このとき、送信側記録再生装置ＲＤ２からの制御要求には、受信側記録再生装置ＲＤ１から取得した中断コンテンツ識別情報が含まれる。
【００８２】
送受信インタフェース部ＴＲによって受信された制御コマンドは、制御要求処理部１０５によって処理される（ＳＴＢ２０）。制御要求処理部１０５は、実行可否情報記憶部１０２に記憶された実行可否情報を参照し（ＳＴＢ２１）、現在実行可能な状態であるか否かを判断する（ＳＴＢ２２）。
【００８３】
制御要求処理部１０５は、要求された処理を現在実行可能であると判断した場合には、制御要求を受け付けた旨を送受信インタフェース部ＴＲを介して、要求元の送信側記録再生装置ＲＤ２に返答を行うとともに、全体制御部ＣＴＲに制御要求内容を通知する（ＳＴＢ２３）。
【００８４】
このとき、制御要求に含まれる中断コンテンツ識別情報を利用して、全体制御部ＣＴＲは、過去に途中までダビングあるいは移動処理済みのコンテンツ（パートＡ）を探し出し、前回中断した位置（パートＡの終わり）からつながるようにして記録するように記録部１０６を制御する（ＳＴＢ２４）。全体制御部ＣＴＲは、パートＢの記録が終了した後に、今回記録を行った部分（パートＢ）と前回記録を行った部分（パートＢ）との結合処理を行う（ＳＴＢ２５）。
【００８５】
上記のように移動処理済のコンテンツ（パートＡ）と残りのコンテンツ（パートＢ）とを結合することによって、コンテンツの移動処理が途中で中断された場合であっても、一つのコンテンツを正常に移動終了した場合と同様な実行結果を得ることができる。
【００８６】
このような処理を行うことで、上述の第１実施形態に係る記録再生装置、記録再生システム、および記録再生方法と同様の効果を得ることができるとともに、ダビング中の予約録画も実行可能になり、コンテンツ移動に関する分断問題も解決可能となる。
【００８７】
すなわち、本実施形態に係る記録再生装置、記録再生システム、および記録再生方法によれば、受信側記録再生装置ＲＤ１において送信側記録再生装置ＲＤ２から送信されるコンテンツを記録中であっても、より優先度の高い処理を実行可能な記録再生装置、記録再生システム、および記録再生方法を提供することができる。
【００８８】
なお、この発明は、上記実施形態そのままに限定されるものではなく、実施段階ではその要旨を逸脱しない範囲で構成要素を変形して具体化できる。例えば、上記の第１実施形態および第２実施形態に係る記録再生システムでは、デジタルインタフェースとしてＩＥＥＥ１３９４を用いた例で説明したが、同様の制御コマンド体系を持つ別のデジタルインタフェースでも本発明が実施可能であることは言うまでもない。
【００８９】
また、上記の実施形態に係る記録再生方法では、受信側記録再生装置ＲＤ１は、受信コンテンツの記録処理よりも優先度の高い処理が開始される所定時間前になると、送信側記録再生装置ＲＤ２にコンテンツの送信を中止させるコマンドを返答していたが、ユーザからの操作情報に応じて現在状態情報記憶部１０１に記憶された機器状態情報を、異常を示す情報に変換するようにしても良い。この場合であっても、上述の実施形態に係る記録再生装置、記録再生システム、および記録再生方法と同様の効果を得ることができる。
【００９０】
さらに、ダビングあるいは移動処理中に、ハードディスクＨ１の記録可能な容量を測定して、その容量が一定の大きさ以下になった場合に実行可否状態情報を処理の継続不可を示す情報として、送信側記録再生装置ＲＤ２にコンテンツの送信を中止させるようにしても良い。
【００９１】
その場合には、受信側記録再生装置ＲＤ１はハードディスクＨ１の記録可能な容量を測定する手段をさらに備えることにより、上述の実施形態に係る記録再生装置、記録再生システム、および記録再生方法と同様の効果を得ることができる。
【００９２】
また、上記の第２実施形態では、移動処理が途中で中断された場合に、中断コンテンツ識別情報から、移動処理済のコンテンツ（パートＡ）の中断した位置に残りのコンテンツ（パートＢ）がつながるように結合処理を行ったが、コンテンツを結合する位置をユーザによって指定可能としても良い。この場合、上述の第２実施形態に係る記録再生方法と同様の効果が得られるとともに、ユーザの好みでコンテンツのつながりを決定することができる。
【００９３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００９４】
【図１】本発明の第１実施形態に係る記録再生システムの構成例を概略的に示す図。
【図２】図１に示す記録再生システムの受信側記録再生装置の構成例を概略的に示す図。
【図３】図１に示す記録再生システムにおいて、送信側記録再生装置からの現在状態問合せに対する受信側記録再生装置からの返答の一例を示す図。
【図４Ａ】図２に示す受信側記録再生装置の一動作例を説明するための図。
【図４Ｂ】図２に示す受信側記録再生装置の一動作例を説明するための図。
【図５Ａ】本発明の第２実施形態に係る記録再生装置の一動作例を説明するための図。
【図５Ｂ】本発明の第２実施形態に係る記録再生装置の一動作例を説明するための図。
【図５Ｃ】本発明の第２実施形態に係る記録再生装置の一動作例を説明するための図。
【符号の説明】
【００９５】
ＴＲ…第１通信手段、第２通信手段、１０５、１０６…記録手段、１０１、１０２、１０３、１０４…第３通信手段
【図１】
2008278021.tif 000003
【図２】
2008278021.tif 000004
【図３】
2008278021.tif 000005
【図４Ａ】
2008278021.tif 000006
【図４Ｂ】
2008278021.tif 000007
【図５Ａ】
2008278021.tif 000008
【図５Ｂ】
2008278021.tif 000009
【図５Ｃ】
2008278021.tif 000010